(57)【特許請求の範囲】
【請求項１】
当該情報処理装置にログインして当該情報処理装置の画面を占有しているユーザに当該情報処理装置の操作を許すような情報処理装置であって、
当該情報処理装置にログインして当該情報処理装置の画面を占有しているユーザのログインを維持したままで、新たなユーザを当該情報処理装置にログインさせて新たなユーザに当該情報処理装置の画面を占有させるようなログイン処理を実行するログイン処理手段
と、
ユーザに関する認証処理の制御を行う認証制御部とを備え、
前記認証制御部は、前記画面を占有しているユーザのジョブが実行中である場合、新たにログインするユーザの認証を受け付けて、新たなユーザによる新たなジョブの受付を可能とする操作画面を表示するが、該新たなジョブの実行が可能である旨のガイダンスの表示は非表示とし、さらに、前記実行中のジョブが終了したときには、前記操作画面に新たなジョブの実行が可能である旨のガイダンスの表示を行うことを特徴とする情報処理装置。
【請求項２】
当該情報処理装置にログインして当該情報処理装置の画面を占有してないユーザのログインを維持したままで、当該情報処理装置にログインして当該情報処理装置の画面を占有しているユーザを当該情報処理装置からログアウトさせて、当該情報処理装置を認証情報の入力待ち状態にするようなログアウト処理を実行するログアウト処理手段を備えることを特徴とする請求項１に記載の情報処理装置。
【請求項３】
新たにログインしたユーザをログアウトさせた直後は、既にログインしている前記ユーザの認証情報の入力待ち状態とすることを特徴とする請求項１又は２に記載の情報処理装置。
【請求項４】
当該情報処理装置の画面を占有しているログインユーザによるジョブで使用される当該情報処理装置のハードウェアと、当該情報処理装置の画面を占有してないログインユーザによるジョブで使用される当該情報処理装置のハードウェアとが重複しない場合に、当該情報処理装置の画面を占有しているログインユーザによるジョブと、当該情報処理装置の画面を占有してないログインユーザによるジョブとを並行して実行することを特徴とする請求項１乃至３のいずれか１項に記載の情報処理装置。
【請求項５】
当該情報処理装置にログインするための認証情報の入力操作を、認証情報を表す文字の入力操作をもってすることが可能であることを特徴とする請求項１乃至４のいずれか１項に記載の情報処理装置。
【請求項６】
当該情報処理装置にログインするための認証情報の入力操作を、認証情報が記録された記録媒体のセット操作をもってすることが可能であることを特徴とする請求項１乃至５のいずれか１項に記載の情報処理装置。
【請求項７】
当該情報処理装置の画面を占有するログインユーザを切り替えるための切替操作画面を提供する切替操作画面提供手段を備えることを特徴とする請求項１乃至６のいずれか１項に記載の情報処理装置。
【請求項８】
当該情報処理装置の画面を占有してないログインユーザをログアウトさせるためのログアウト操作画面を提供するログアウト操作画面提供手段を備えることを特徴とする請求項１乃至７のいずれか１項に記載の情報処理装置。
【請求項９】
当該情報処理装置の画面を占有してないログインユーザが存在する場合、当該情報処理装置の画面上に当該ログインユーザを表す表示物を表示しておくことを特徴とする請求項１乃至８のいずれか１項に記載の情報処理装置。
【請求項１０】
当該情報処理装置の画面を占有してないログインユーザが存在する場合、所定の時間の経過後に当該ログインユーザを自動的にログアウトさせることを特徴とする請求項１乃至９のいずれか１項に記載の情報処理装置。
【請求項１１】
当該情報処理装置の画面を占有してないログインユーザのジョブのエラーを、当該情報処理装置の画面を占有しているログインユーザに当該情報処理装置の画面で通知する通知手段を備えることを特徴とする請求項１乃至１０のいずれか１項に記載の情報処理装置。
【請求項１２】
当該情報処理装置の画面を占有してないログインユーザのジョブのエラーを、当該情報処理装置の画面を占有しているログインユーザに当該情報処理装置の画面で通知することにするかどうかを設定するための通知設定画面を提供する通知設定画面提供手段を備えることを特徴とする請求項１１に記載の情報処理装置。
【請求項１３】
当該情報処理装置の画面を占有してないログインユーザのジョブのエラーを、メールで通知する通知手段を備えることを特徴とする請求項１乃至１０のいずれか１項に記載の情報処理装置。
【請求項１４】
当該情報処理装置の画面を占有してないログインユーザのジョブのエラーを、メールで通知することにするかどうかを設定するための通知設定画面を提供する通知設定画面提供手段を備えることを特徴とする請求項１３に記載の情報処理装置。
【請求項１５】
当該情報処理装置の画面を占有してないログインユーザのジョブのエラーを、ランプで通知する通知手段を備えることを特徴とする請求項１乃至１０のいずれか１項に記載の情報処理装置。
【請求項１６】
当該情報処理装置の画面を占有してないログインユーザのジョブのエラーを、ランプで通知することにするかどうかを設定するための通知設定画面を提供する通知設定画面提供手段を備えることを特徴とする請求項１５に記載の情報処理装置。
【請求項１７】
当該情報処理装置の画面を占有しているログインユーザのジョブが終了した場合、当該情報処理装置の画面を占有している状態から当該情報処理装置の画面を占有してない状態に当該ログインユーザの状態を自動的に移行させることを特徴とする請求項１乃至１６のいずれか１項に記載の情報処理装置。
【請求項１８】
当該情報処理装置の画面を占有しているログインユーザのジョブが終了した場合、当該情報処理装置の画面を占有している状態から当該情報処理装置の画面を占有してない状態に当該ログインユーザの状態を移行させるための移行操作画面を自動的に提供することを特徴とする請求項１乃至１６のいずれか１項に記載の情報処理装置。
【請求項１９】
当該情報処理装置は、画像形成装置であることを特徴とする請求項１乃至１８のいずれか１項に記載の情報処理装置。
【請求項２０】
当該情報処理装置にログインして当該情報処理装置の画面を占有しているユーザに当該情報処理装置の操作を許すような情報処理装置により実行される情報処理方法であって、
当該情報処理装置にログインして当該情報処理装置の画面を占有しているユーザのログインを維持したままで、新たなユーザを当該情報処理装置にログインさせて新たなユーザに当該情報処理装置の画面を占有させるようなログイン処理を実行するログイン処理段階と、
ユーザに関する認証処理の制御を行う認証制御段階とを備え、
前記認証制御段階において、前記画面を占有しているユーザのジョブが実行中である場合、新たにログインするユーザの認証を受け付けて、新たなユーザによる新たなジョブの受付を可能とする操作画面を表示するが、該新たなジョブの実行が可能である旨のガイダンスの表示は非表示とし、さらに、前記実行中のジョブが終了したときには、前記操作画面に新たなジョブの実行が可能である旨のガイダンスの表示を行うことを特徴とする情報処理方法。
【請求項２１】
当該情報処理装置にログインして当該情報処理装置の画面を占有してないユーザのログインを維持したままで、当該情報処理装置にログインして当該情報処理装置の画面を占有しているユーザを当該情報処理装置からログアウトさせて、当該情報処理装置を認証情報の入力待ち状態にするようなログアウト処理を実行するログアウト処理段階を備えることを特徴とする請求項２０に記載の情報処理方法。
【請求項２２】
新たにログインしたユーザをログアウトさせた直後は、既にログインしている前記ユーザの認証情報の入力待ち状態とすることを特徴とする請求項２０又は２１に記載の情報処理方法。
【請求項２３】
当該情報処理装置の画面を占有しているログインユーザによるジョブで使用される当該情報処理装置のハードウェアと、当該情報処理装置の画面を占有してないログインユーザによるジョブで使用される当該情報処理装置のハードウェアとが重複しない場合に、当該情報処理装置の画面を占有しているログインユーザによるジョブと、当該情報処理装置の画面を占有してないログインユーザによるジョブとを並行して実行することを特徴とする請求項２０乃至２２のいずれか１項に記載の情報処理方法。
【請求項２４】
当該情報処理装置は、画像形成装置であることを特徴とする請求項２０乃至２３のいずれか１項に記載の情報処理方法。
【請求項２５】
請求項２０乃至２４のいずれか１項に記載の情報処理方法をコンピュータに実行させる情報処理プログラム。
【請求項２６】
請求項２０乃至２４のいずれか１項に記載の情報処理方法をコンピュータに実行させる情報処理プログラムが記録されたコンピュータ読取可能な記録媒体。
【発明の詳細な説明】
【技術分野】
【０００１】
本発明は、主たる機能として情報処理機能を備える情報機器／従たる機能として情報処理機能を備える電気機器等の情報処理装置、情報処理方法、情報処理プログラム、ＣＤ−ＲＯＭ等の記録媒体に関する。主たる機能として情報処理機能を備える情報機器の具体例としては、パーソナルコンピュータが挙げられる。従たる機能として情報処理機能を備える電気機器の具体例としては、近年、情報処理機能の高度化が目覚しいコピー／プリンタ／スキャナ／ファクシミリ／複合機／融合機等の画像形成装置が挙げられる。
【背景技術】
【０００２】
近年、コピーとプリンタとスキャナとファクシミリとしての機能を備える複合機や融合機が市販されるようになった。複合機や融合機は、撮像部や印刷部や通信部や操作表示部等のハードウェアを備えると共に、コピーとプリンタとスキャナとファクシミリに対応する４種類のソフトウェアを備え、これらのソフトウェアが切り替わることにより、コピーやプリンタやスキャナやファクシミリとして機能する。複合機や融合機は、コピーやプリンタとして機能する場合、画像を印刷用紙等に印刷することになり、コピーやスキャナとして機能する場合、画像を読取原稿等から読み取ることになり、ファクシミリとして機能する場合、画像を電話回線等を介して他の機器と授受することになる。
【特許文献１】特開２００２−８４３８３号公報
【特許文献２】特開２００１−２０２２０８号公報
【特許文献３】特開平９−１３０５３２号公報
【特許文献４】特開平７−３１９６４６号公報
【発明の開示】
【発明が解決しようとする課題】
【０００３】
近年、画像形成装置のセキュリティを向上させるべく、ログイン／ログアウトの概念を導入した画像形成装置が増えている。画像形成装置にログインしているユーザにのみ画像形成装置の操作を許すのである。
【０００４】
ところが、ログイン／ログアウトの概念を導入した画像形成装置では、ログイン／ログアウトの概念を導入したのと引き換えに、複数のユーザの並行利用や複数のジョブの並行実行ができなくなってしまっている。これにより例えば、ジョブ割り込みを実施することができない、ジョブ予約を実施することができない、次のジョブが待たされるなどの事態が生じる。特に、複合機や融合機において複数のユーザの並行利用や複数のジョブの並行実行ができないとなると、多彩な機能を備える複合機や融合機の真価を発揮できないことにもなる。だからと言って、画像形成装置のセキュリティを無視することもできない。
【０００５】
したがって、本発明は、画像形成装置等の情報処理装置におけるセキュリティの向上と複数のユーザの並行利用の実現とを両立させることを課題とする。
【課題を解決するための手段】
【０００６】
請求項１記載の発明（情報処理装置）は、当該情報処理装置にログインして当該情報処理装置の画面を占有しているユーザに当該情報処理装置の操作を許すような情報処理装置であって、当該情報処理装置にログインして当該情報処理装置の画面を占有しているユーザのログインを維持したままで、新たなユーザを当該情報処理装置にログインさせて新たなユーザに当該情報処理装置の画面を占有させるようなログイン処理を実行するログイン処理手段と、ユーザに関する認証処理の制御を行う認証制御部とを備え、前記認証制御部は、前記画面を占有しているユーザのジョブが実行中である場合、新たにログインするユーザの認証を受け付けて、新たなユーザによる新たなジョブの受付を可能とする操作画面を表示するが、該新たなジョブの実行が可能である旨のガイダンスの表示は非表示とし、さらに、前記実行中のジョブが終了したときには、前記操作画面に新たなジョブの実行が可能である旨のガイダンスの表示を行うことを特徴とする情報処理装置である。
【０００７】
請求項２記載の発明（情報処理装置）は、当該情報処理装置にログインして当該情報処理装置の画面を占有してないユーザのログインを維持したままで、当該情報処理装置にログインして当該情報処理装置の画面を占有しているユーザを当該情報処理装置からログアウトさせて、当該情報処理装置を認証情報の入力待ち状態にするようなログアウト処理を実行するログアウト処理手段を備えることを特徴とする請求項１に記載の情報処理装置である。
請求項３記載の発明（情報処理装置）は、新たにログインしたユーザをログアウトさせた直後は、既にログインしている前記ユーザの認証情報の入力待ち状態とすることを特徴とする請求項１又は２に記載の情報処理装置である。
【０００８】
請求項４記載の発明（情報処理装置）は、当該情報処理装置の画面を占有しているログインユーザによるジョブで使用される当該情報処理装置のハードウェアと、当該情報処理装置の画面を占有してないログインユーザによるジョブで使用される当該情報処理装置のハードウェアとが重複しない場合に、当該情報処理装置の画面を占有しているログインユーザによるジョブと、当該情報処理装置の画面を占有してないログインユーザによるジョブとを並行して実行することを特徴とする請求項１乃至３のいずれか１項に記載の情報処理装置である。
【０００９】
請求項５記載の発明（情報処理装置）は、当該情報処理装置にログインするための認証情報の入力操作を、認証情報を表す文字の入力操作をもってすることが可能であることを特徴とする請求項１乃至４のいずれか１項に記載の情報処理装置である。
【００１０】
請求項６記載の発明（情報処理装置）は、当該情報処理装置にログインするための認証情報の入力操作を、認証情報が記録された記録媒体のセット操作をもってすることが可能であることを特徴とする請求項１乃至５のいずれか１項に記載の情報処理装置である。
【００１１】
請求項７記載の発明（情報処理装置）は、当該情報処理装置の画面を占有するログインユーザを切り替えるための切替操作画面を提供する切替操作画面提供手段を備えることを特徴とする請求項１乃至６のいずれか１項に記載の情報処理装置である。
【００１２】
請求項８記載の発明（情報処理装置）は、当該情報処理装置の画面を占有してないログインユーザをログアウトさせるためのログアウト操作画面を提供するログアウト操作画面提供手段を備えることを特徴とする請求項１乃至７のいずれか１項に記載の情報処理装置である。
【００１３】
請求項９記載の発明（情報処理装置）は、当該情報処理装置の画面を占有してないログインユーザが存在する場合、当該情報処理装置の画面上に当該ログインユーザを表す表示物を表示しておくことを特徴とする請求項１乃至８のいずれか１項に記載の情報処理装置である。
【００１４】
請求項１０記載の発明（情報処理装置）は、当該情報処理装置の画面を占有してないログインユーザが存在する場合、所定の時間の経過後に当該ログインユーザを自動的にログアウトさせることを特徴とする請求項１乃至９のいずれか１項に記載の情報処理装置である。
【００１５】
請求項１１記載の発明（情報処理装置）は、当該情報処理装置の画面を占有してないログインユーザのジョブのエラーを、当該情報処理装置の画面を占有しているログインユーザに当該情報処理装置の画面で通知する通知手段を備えることを特徴とする請求項１乃至１０のいずれか１項に記載の情報処理装置である。
【００１６】
請求項１２記載の発明（情報処理装置）は、当該情報処理装置の画面を占有してないログインユーザのジョブのエラーを、当該情報処理装置の画面を占有しているログインユーザに当該情報処理装置の画面で通知することにするかどうかを設定するための通知設定画面を提供する通知設定画面提供手段を備えることを特徴とする請求項１１に記載の情報処理装置である。
【００１７】
請求項１３記載の発明（情報処理装置）は、当該情報処理装置の画面を占有してないログインユーザのジョブのエラーを、メールで通知する通知手段を備えることを特徴とする請求項１乃至１０のいずれか１項に記載の情報処理装置である。
【００１８】
請求項１４記載の発明（情報処理装置）は、当該情報処理装置の画面を占有してないログインユーザのジョブのエラーを、メールで通知することにするかどうかを設定するための通知設定画面を提供する通知設定画面提供手段を備えることを特徴とする請求項１３に記載の情報処理装置である。
【００１９】
請求項１５記載の発明（情報処理装置）は、当該情報処理装置の画面を占有してないログインユーザのジョブのエラーを、ランプで通知する通知手段を備えることを特徴とする請求項１乃至１０のいずれか１項に記載の情報処理装置である。
【００２０】
請求項１６記載の発明（情報処理装置）は、当該情報処理装置の画面を占有してないログインユーザのジョブのエラーを、ランプで通知することにするかどうかを設定するための通知設定画面を提供する通知設定画面提供手段を備えることを特徴とする請求項１５に記載の情報処理装置である。
【００２１】
請求項１７記載の発明（情報処理装置）は、当該情報処理装置の画面を占有しているログインユーザのジョブが終了した場合、当該情報処理装置の画面を占有している状態から当該情報処理装置の画面を占有してない状態に当該ログインユーザの状態を自動的に移行させることを特徴とする請求項１乃至１６のいずれか１項に記載の情報処理装置である。
【００２２】
請求項１８記載の発明（情報処理装置）は、当該情報処理装置の画面を占有しているログインユーザのジョブが終了した場合、当該情報処理装置の画面を占有している状態から当該情報処理装置の画面を占有してない状態に当該ログインユーザの状態を移行させるための移行操作画面を自動的に提供することを特徴とする請求項１乃至１６のいずれか１項に記載の情報処理装置である。
【００２３】
請求項１９記載の発明（情報処理装置）は、当該情報処理装置は、画像形成装置であることを特徴とする請求項１乃至１８のいずれか１項に記載の情報処理装置である。
【００２４】
請求項２０記載の発明（情報処理方法）は、当該情報処理装置にログインして当該情報処理装置の画面を占有しているユーザに当該情報処理装置の操作を許すような情報処理装置により実行される情報処理方法であって、当該情報処理装置にログインして当該情報処理装置の画面を占有しているユーザのログインを維持したままで、新たなユーザを当該情報処理装置にログインさせて新たなユーザに当該情報処理装置の画面を占有させるようなログイン処理を実行するログイン処理段階と、ユーザに関する認証処理の制御を行う認証制御段階とを備え、前記認証制御段階において、前記画面を占有しているユーザのジョブが実行中である場合、新たにログインするユーザの認証を受け付けて、新たなユーザによる新たなジョブの受付を可能とする操作画面を表示するが、該新たなジョブの実行が可能である旨のガイダンスの表示は非表示とし、さらに、前記実行中のジョブが終了したときには、前記操作画面に新たなジョブの実行が可能である旨のガイダンスの表示を行うことを特徴とする情報処理方法である。
【００２５】
請求項２１記載の発明（情報処理方法）は、当該情報処理装置にログインして当該情報処理装置の画面を占有してないユーザのログインを維持したままで、当該情報処理装置にログインして当該情報処理装置の画面を占有しているユーザを当該情報処理装置からログアウトさせて、当該情報処理装置を認証情報の入力待ち状態にするようなログアウト処理を実行するログアウト処理段階を備えることを特徴とする請求項２０に記載の情報処理方法である。
請求項２２記載の発明（情報処理方法）は、新たにログインしたユーザをログアウトさせた直後は、既にログインしている前記ユーザの認証情報の入力待ち状態とすることを特徴とする請求項２０又は２１に記載の情報処理方法である。
【００２６】
請求項２３記載の発明（情報処理方法）は、当該情報処理装置の画面を占有しているログインユーザによるジョブで使用される当該情報処理装置のハードウェアと、当該情報処理装置の画面を占有してないログインユーザによるジョブで使用される当該情報処理装置のハードウェアとが重複しない場合に、当該情報処理装置の画面を占有しているログインユーザによるジョブと、当該情報処理装置の画面を占有してないログインユーザによるジョブとを並行して実行することを特徴とする請求項２０乃至２２のいずれか１項に記載の情報処理方法である。
【００２７】
請求項２４記載の発明（情報処理方法）は、当該情報処理装置は、画像形成装置であることを特徴とする請求項２０乃至２３のいずれか１項に記載の情報処理方法である。
【００２８】
請求項２５記載の発明（情報処理プログラム）は、請求項２０乃至２４のいずれか１項記載の情報処理方法をコンピュータに実行させる情報処理プログラムである。
【００２９】
請求項２６記載の発明（記録媒体）は、請求項２０乃至２４のいずれか１項記載の情報処理方法をコンピュータに実行させる情報処理プログラムが記録されたコンピュータ読取可能な記録媒体である。
【発明の効果】
【００３０】
このように、本発明は、画像形成装置等の情報処理装置におけるセキュリティの向上と複数のユーザの並行利用の実現とを両立させることを可能にする。
【発明を実施するための最良の形態】
【００３１】
図２５は、本発明の実施例に該当する情報処理装置１１を表す。図２５の情報処理装置１１は、種々のハードウェア２１と、種々のソフトウェア２２と、起動部２３により構成される。
【００３２】
情報処理装置１１のハードウェア２１としては、ＣＰＵやＲＯＭやＲＡＭやＨＤＤ等により構成される情報処理部、ＭＯＤＥＭやＮＩＣ等により構成される通信部、キーボードやマウスやディスプレイ等により構成される操作表示部が存在する。
【００３３】
情報処理装置１１のソフトウェア２２としては、種々のアプリケーション３１、種々のプラットフォーム３２が存在する。プラットフォーム３２としては、情報処理部に関する制御を行うモジュール、通信部に関する仲介を行うモジュール、操作表示部に関する制御を行うモジュール、ユーザ情報の管理に関する制御を行うモジュール、システムの管理に関する制御を行うモジュールが存在する。これらのプログラムは、ＵＮＩＸ（登録商標）等のＯＳ（オペレーティングシステム）によりプロセス単位で並列的に実行される。
【００３４】
起動部２３は、情報処理装置１１の電源投入時に最初に実行される。これにより、ＵＮＩＸ（登録商標）等のＯＳが起動され、アプリケーション３１やプラットフォーム３２が起動される。これらのプログラムは、ＨＤＤやメモリカードに蓄積されており、ＨＤＤやメモリカードから再生されて、ＲＡＭに起動されることになる。
【００３５】
図２５の情報処理装置１１の例としては、主たる機能として情報処理機能を備える情報機器や、従たる機能として情報処理機能を備える電気機器等が挙げられる。主たる機能として情報処理機能を備える情報機器の具体例としては、パーソナルコンピュータが挙げられる。従たる機能として情報処理機能を備える電気機器の具体例としては、近年、情報処理機能の高度化が目覚しいコピー／プリンタ／スキャナ／ファクシミリ／複合機／融合機等の画像形成装置が挙げられる。以下、情報処理装置１１の具体例である融合機１０１について説明する。
【００３６】
図１は、本発明の実施例に該当する融合機１０１を表す。図１の融合機１０１は、種々のハードウェア１１１と、種々のソフトウェア１１２と、融合機起動部１１３により構成される。図１の融合機１０１は、コピーやプリンタやスキャナやファクシミリとして機能することができる。
【００３７】
融合機１０１のハードウェア１１１としては、撮像部１２１と、印刷部１２２と、その他のハードウェア１２３が存在する。
【００３８】
撮像部１２１は、原稿から画像（画像データ）を読み取るためのハードウェアであり、コピーやスキャナやファクシミリとして機能する際に使用される。撮像部１２１は、白黒画像用の物でもカラー画像用の物でもよい。撮像部１２１は、原稿に関する機構として、原稿セット部等を備える。
【００３９】
印刷部１２２は、画像（画像データ）を印刷用紙等の印刷媒体に印刷するためのハードウェアであり、コピーやプリンタやファクシミリとして機能する際に使用される。印刷部１２２は、白黒画像用の物でもカラー画像用の物でもよい。印刷部１２２は、ここでは電子写真方式を採用しており、感光体、帯電機、露光機、現像機、転写機、定着機等を備える。印刷部１２２は、印刷用紙等に関する機構として、給紙部、排紙部、印刷用紙等搬送機構等を備える。
【００４０】
その他のハードウェア１２３については、図２において説明する。
【００４１】
融合機１０１のソフトウェア１１２としては、種々のアプリケーション１３１と、種々のプラットフォーム１３２が存在する。これらのプログラムは、ＵＮＩＸ（登録商標）等のＯＳ（オペレーティングシステム）によりプロセス単位で並列的に実行される。
【００４２】
アプリケーション１３１は、コピーやプリンタやスキャナやファクシミリ等の機能に固有な情報処理を実行するためのソフトウェアである。アプリケーション１３１としては、コピー用のアプリケーションであるコピーアプリ１４１と、プリンタ用のアプリケーションであるプリンタアプリ１４２と、スキャナ用のアプリケーションであるスキャナアプリ１４３と、ファクシミリ用のアプリケーションであるファクシミリアプリ１４４と、ネットワークファイル用のアプリケーションであるネットワークファイルアプリ１４５が存在する。ネットワークファイルアプリ１４５は、ＨＴＭＬ文書等の閲覧用のＷｅｂブラウザや、ＨＴＭＬ文書等の配信用のＷｅｂサーバソフトにより構成される。
【００４３】
プラットフォーム１３２は、アプリケーション１３１からの処理要求に関する情報処理を実行するためのソフトウェアである。アプリケーション１３１からの処理要求の受信には、予め定義されている関数により処理要求を受信するアプリケーションプログラムインタフェース（ＡＰＩ）１３３を利用して、要求内容の実施には、エンジンインタフェース１３４を利用する。プラットフォーム１３２としては、種々のコントロールサービス１５１と、システムリソースマネージャ１５２と、種々のハンドラ１５３が存在する。
【００４４】
コントロールサービス１５１は、アプリケーション１３１からの処理要求を解釈して、解釈結果に応じてハードウェア１１１の獲得要求を発生させる。コントロールサービス１５１としては、ネットワークコントロールサービス（ＮＣＳ）１６１と、ファクシミリコントロールサービス（ＦＣＳ）１６２と、デリバリコントロールサービス（ＤＣＳ）１６３と、エンジンコントロールサービス（ＥＣＳ）１６４と、メモリコントロールサービス（ＭＣＳ）１６５と、オペレーションパネルコントロールサービス（ＯＣＳ）１６６と、サーティフィケーションコントロールサービス（ＣＣＳ）１６７と、ユーザディレクトリコントロールサービス（ＵＣＳ）１６８と、システムコントロールサービス（ＳＣＳ）１６９が存在する。
【００４５】
ＮＣＳ１６１のプロセスは、ネットワーク等を介してデータ通信を行うための仲介を行う。ＦＣＳ１６２のプロセスは、ファクシミリとして画像データ通信・画像データ読取・画像データ印刷等を行うためのＡＰＩを提供する。ＤＣＳ１６３のプロセスは、融合機１０１に蓄積された文書データの配信に関する制御を行う。ＥＣＳ１６４のプロセスは、撮像部１２１や印刷部１２２等のエンジン部に関する制御を行う。ＭＣＳ１６５のプロセスは、画像データ記憶・画像データ処理等のメモリやハードディスクドライブに関する制御を行う。ＯＣＳ１６６のプロセスは、オペレーションパネルに関する制御を行う。ＣＣＳ１６７のプロセスは、認証処理や課金処理に関する制御を行う。ＵＣＳ１６８のプロセスは、ユーザ情報の管理に関する制御を行う。ＳＣＳ１６９のプロセスは、システムの管理に関する制御を行う。
【００４６】
システムリソースマネージャ（ＳＲＭ）１５２は、ハードウェア１１１の獲得要求を調停して、調停結果に応じて要求内容を実施するための制御を行う。詳細に言うと、ＳＲＭ１５２のプロセスは、獲得要求に係るハードウェア１１１が利用可能か否か（他の獲得要求と競合しないか否か）を判定して、利用可能である場合にはその旨をコントロールサービス１５１の各プロセスに通知する。さらに、獲得要求に係るハードウェア１１１の利用スケジュールを作成して、作成結果に応じて要求内容を実施するための制御を行う。
【００４７】
ハンドラ１５３は、調停結果に応じてハードウェア１１１を管理する。ハンドラ１５３としては、ファクシミリコントロールユニットハンドラ（ＦＣＵＨ）１７１と、イメージメモリハンドラ（ＩＭＨ）１７２が存在する。ＦＣＵＨ１７１は、ファクシミリコントロールユニットを管理する。ＩＭＨ１７２は、各プロセスにメモリを割り振り、各プロセスに割り振ったメモリを管理する。
【００４８】
融合機起動部１１３は、融合機１０１の電源投入時に最初に実行される。これにより、ＵＮＩＸ（登録商標）等のＯＳが起動され、アプリケーション１３１やプラットフォーム１３２が起動される。これらのプログラムは、ハードディスクドライブやメモリカードに蓄積されており、ハードディスクドライブやメモリカードから再生されて、メモリに起動されることになる。
【００４９】
図２は、図１の融合機１０１に係るハードウェア構成図である。融合機１０１のハードウェア１１１としては、コントローラ２０１と、オペレーションパネル２０２と、ファクシミリコントロールユニット（ＦＣＵ）２０３と、撮像部１２１と、印刷部１２２が存在する。撮像部１２１と印刷部１２２を除く各構成要素が、図１の「その他のハードウェア１２３」に該当する。
【００５０】
コントローラ２０１は、ＣＰＵ２１１と、ＡＳＩＣ２１２と、ＮＢ（ノースブリッジ）２２１と、ＳＢ（サウスブリッジ）２２２と、ＭＥＭ−Ｐ（システムメモリ）２３１と、ＭＥＭ−Ｃ（ローカルメモリ）２３２と、ＨＤＤ（ハードディスクドライブ）２３３と、メモリカードスロット２３４と、ＮＩＣ（ネットワークインタフェースコントローラ）２４１と、ＵＳＢデバイス２４２と、ＩＥＥＥ１３９４デバイス２４３と、セントロニクスデバイス２４４と、ＩＣカードリーダ２４５により構成される。
【００５１】
ＣＰＵ２１１は、種々の情報処理を実行するためのＩＣであり、アプリケーション１３１やプラットフォーム１３２をＵＮＩＸ（登録商標）等のＯＳによりプロセス単位で並列的に実行する。ＡＳＩＣ２１２は、画像処理用のＩＣである。ＮＢ２２１は、ＣＰＵ２１１とＡＳＩＣ２１２を接続するためのブリッジである。ＳＢ２２２は、ＮＢ２２１と周辺機器等を接続するためのブリッジである。ＡＳＩＣ２１２とＮＢ２２１は、ＡＧＰ（Ａｃｃｅｌｅｒａｔｅｄ  Ｇｒａｐｈｉｃｓ  Ｐｏｒｔ）を介して接続されている。
【００５２】
ＭＥＭ−Ｐ２３１は、ＮＢ２２１に接続されたメモリである。ＭＥＭ−Ｃ２３２は、ＡＳＩＣ２１２に接続されたメモリである。ＨＤＤ２３３は、ＡＳＩＣ２１２に接続されたストレージであり、画像データ蓄積・文書データ蓄積・プログラム蓄積・フォントデータ蓄積・フォームデータ蓄積等を行うために使用される。メモリカードスロット２３４は、ＳＢ２２２に接続されたスロットであり、メモリカード２３５をセット（挿入）するために使用される。
【００５３】
ＮＩＣ２４１は、ネットワーク等を介してＭＡＣアドレス等を使用したデータ通信を行うためのコントローラである。ＵＳＢデバイス２４２は、ＵＳＢ規格に準拠したシリアルポートを提供するためのデバイスである。ＩＥＥＥ１３９４デバイス２４３は、ＩＥＥＥ１３９４規格に準拠したシリアルポートを提供するためのデバイスである。セントロニクスデバイス２４４は、セントロニクス仕様に準拠したパラレルポートを提供するためのデバイスである。ＩＣカードリーダ２４５は、ＩＣカード２４６のカードリードを行うためのカードリーダである。ＮＩＣ２４１と、ＵＳＢデバイス２４２と、ＩＥＥＥ１３９４デバイス２４３と、セントロニクスデバイス２４４と、ＩＣカードリーダ２４５は、ＰＣＩ（Ｐｅｒｉｐｈｅｒａｌ  Ｃｏｍｐｏｎｅｎｔ  Ｉｎｔｅｒｃｏｎｅｃｔ）バスを介してＮＢ２２１とＳＢ２２２に接続されている。
【００５４】
オペレーションパネル２０２は、オペレータが融合機１０１に入力を行うためのハードウェア（操作部）であると共に、オペレータが融合機１０１から出力を得るためのハードウェア（表示部）である。オペレーションパネル２０２は、ＡＳＩＣ２１２に接続されている。ＦＣＵ２０３と、撮像部１２１と、印刷部１２２は、ＰＣＩ（Ｐｅｒｉｐｈｅｒａｌ  Ｃｏｍｐｏｎｅｎｔ  Ｉｎｔｅｒｃｏｎｅｃｔ）バスを介してＡＳＩＣ２１２に接続されている。
【００５５】
図３は、図１の融合機１０１に係る外観図である。図３には、撮像部１２１の位置と、印刷部１２２の位置と、オペレーションパネル２０２の位置が図示されている。図３にはまた、原稿をセットするための原稿セット部３０１と、印刷用紙等の給紙先となる給紙部３０２と、印刷用紙等の排紙先となる排紙部３０３が図示されている。原稿セット部３０１は、撮像部１２１の構成要素であり、給紙部３０２と排紙部３０３は、印刷部１２２の構成要素である。
【００５６】
オペレーションパネル２０２には、図４のように、タッチパネル３１１と、テンキー３１２と、スタートボタン３１３と、リセットボタン３１４と、割り込みボタン３１５と、ログインボタン３１６と、ログアウトボタン３１７と、初期設定ボタン３１８、機能キー３１９と、パトランプ３２０が存在する。
【００５７】
タッチパネル３１１は、タッチ操作で入力を行うためのハードウェア（タッチ操作部）であると共に、画面表示で出力を得るためのハードウェア（画面表示部）である。テンキー３１２は、キー操作で数字入力を行うためのハードウェアである。スタートボタン３１３は、ボタン操作でスタート操作を行うためのハードウェアである。リセットボタン３１４は、ボタン操作でリセット操作を行うためのハードウェアである。割り込みボタン３１５は、ボタン操作で割り込み操作を行うためのハードウェアである。ログインボタン３１６は、ボタン操作でログイン操作を行うためのハードウェアである。ログアウトボタン３１７は、ボタン操作でログアウト操作を行うためのハードウェアである。初期設定ボタン３１８は、ボタン操作で初期設定画面を表示させるためのハードウェアである。機能キー３１９は、キー操作でコピー操作画面やプリンタ操作画面やスキャナ操作画面やファクシミリ操作画面を表示させるためのハードウェアである。パトランプ３２０は、ランプ表示で警告出力を得るためのハードウェアである。
【００５８】
融合機１０１は、原稿セット部３０１に原稿がセットされている場合、スタートボタン３１３が押されることで、撮像部１２１によりその原稿から画像を読み取る。融合機１０１は、コピーとして機能する場合、印刷部１２２によりその画像を印刷用紙等に印刷することになり、ファクシミリとして機能する場合、ＦＣＵ２０３やＮＩＣ２４１によりその画像を電話回線やネットワーク等を介して他の機器に送信することになる。印刷用紙等の給紙先は給紙部３０２であり、印刷用紙等の排紙先は排紙部３０３である。
【００５９】
原稿セット部３０１は、ＡＤＦ（自動原稿搬送装置）３２１と、フラットベッド３２２と、フラットベッドカバー３２３により構成される。給紙部３０２は、４個の給紙トレイと１個の手差しトレイにより構成される。排紙部３０３は、１個の排紙トレイにより構成される。
【００６０】
ＡＤＦ３２１には、複数枚の原稿を重ねてセットすることができる。融合機１０１は、ＡＤＦ３２１に原稿がセットされている場合、スタートボタン３１３が押されることで、撮像部１２１によりその原稿から画像を読み取る。詳細に言うと、ＡＤＦ３２１に複数枚の原稿が重ねてセットされている場合、スタートボタン３１３が押されることで、ＡＤＦ３２１が、図３の矢印のような経路で複数枚の原稿を１枚ずつ搬送し、撮像部１２１が、図３の矢印のような経路で１枚ずつ搬送される原稿から画像を読み取る。
【００６１】
フラットベッド３２２には、原稿を下向きにセットする。融合機１０１は、フラットベッド３２２に原稿がセットされている場合、スタートボタン３１３が押されることで、撮像部１２１によりその原稿から画像を読み取る。詳細に言うと、フラットベッド３２２に原稿が下向きにセットされている場合、スタートボタン３１３が押されることで、撮像部１２１が、透明なフラットベッド３２２を介して対面する原稿から画像を読み取る。
【００６２】
（ログイン処理／ログアウト処理）
図１の融合機１０１でのログイン処理／ログアウト処理について説明する。
【００６３】
図１の融合機１０１は、融合機１０１にログインして融合機１０１の操作パネル（オペレーションパネル２０２）の画面（タッチパネル３１１）を占有しているユーザに、融合機１０１の操作パネル（オペレーションパネル２０２）の操作を許すような設定になっている。融合機１０１にログインして融合機１０１の操作パネルの画面を占有することで、融合機１０１の操作パネルの操作が有効扱いになるのである。あるユーザが融合機１０１にコピージョブを実行させるためには、そのユーザが融合機１０１にログインして融合機１０１の画面を占有してコピー操作画面でコピー操作を行う必要がある。
【００６４】
図１の融合機１０１には複数のユーザがログインすることが可能であり、その内の１のユーザが融合機１０１の操作パネルの画面を占有することが可能である。融合機１０１にログインしていて融合機１０１の操作パネルの画面を占有しているユーザを「表ユーザ」と呼び、融合機１０１にログインしているが融合機１０１の操作パネルの画面を占有していないユーザを「裏ユーザ」と呼ぶ。あるログインユーザが裏ユーザから表ユーザになることを「表移行」と呼び、あるログインユーザが表ユーザから裏ユーザになることを「裏移行」と呼ぶ。
【００６５】
図５は、図１の融合機１０１でのログイン処理／ログアウト処理の第１実施例に関する画面遷移図である。
【００６６】
図５Ａの画面上には「ログインユーザ：ユーザＡ」と表示されている。これは、融合機１０１にログインしているユーザＡが融合機１０１の操作パネルの画面を占有している事を意味する。図５Ａの画面上には「コピー中です」と表示されている。これは、ユーザＡのコピージョブが実行中である事を意味する。この段階にてログインボタン３１６（図４参照）が押下されると、図５Ｂの画面に画面が移り、融合機１０１は認証情報の入力待ち状態になる。図５Ｂの画面でユーザＢが認証情報を入力して実行ボタンにタッチすると、図５Ｃの画面に画面が移る。これにより、ユーザＢが融合機１０１にログインしたことになる。
【００６７】
図５Ｃの画面上には「ログインユーザ：ユーザＢ」と表示されている。これは、融合機１０１にログインしているユーザＢが融合機１０１の操作パネルの画面を占有している事を意味する。この段階ではユーザＡのコピージョブが実行中であるものとする。ユーザＡのコピージョブが終了すると、図５Ｄの画面に画面が移る。図５Ｄの画面上には「コピーできます」と表示されている。これは、ユーザＢのコピージョブが実行可能になった事を意味する。この段階にてログアウトボタン３１７（図４参照）が押下されると、図５Ｅの画面に画面が移り、融合機１０１は認証情報の入力待ち状態になる。これにより、ユーザＢが融合機１０１からログアウトしたことになる。
【００６８】
図５Ａから図５Ｃまでの「ログイン処理」では、図１の融合機１０１は、融合機１０１にログインして融合機１０１の操作パネルの画面を占有している「ユーザＡ」のログインを維持したままで、新たに「ユーザＢ」を融合機１０１にログインさせて「ユーザＢ」に融合機１０１の操作パネルの画面を占有させている。これにより、ユーザＡとユーザＢの平行利用（多重ログイン）が実現されており、ユーザＡのジョブを継続しつつユーザＢのジョブの開始準備を許容することが可能となっているのである。
【００６９】
図５Ｃから図５Ｅまでの「ログアウト処理」では、図１の融合機１０１は、融合機１０１にログインして融合機１０１の操作パネルの画面を占有していない「ユーザＡ」のログインを維持したままで、融合機１０１にログインして融合機１０１の操作パネルの画面を占有している「ユーザＢ」を融合機１０１からログアウトさせ、融合機１０１を認証情報の入力待ち状態にしている。ユーザＢをログアウトさせた直後にユーザＡに操作パネルの画面を占有させることにすると、ユーザＢがユーザＡに成りすましてしまうおそれがあるため、ユーザＢをログアウトさせた直後は融合機１０１を認証情報の入力待ち状態にすることで、ユーザＢがユーザＡに成りすましてしまうのを防いでいるのである。ユーザＡのログインは維持されてはいるものの、ユーザＡが操作パネルの画面を占有するためには、ユーザＡは改めて融合機１０１に認証情報を入力する必要がある。
【００７０】
図６は、図１の融合機１０１でのログイン処理／ログアウト処理の第１実施例に関するシーケンス図である。
【００７１】
融合機１０１にコピージョブを実行させるべくユーザＡがスタートボタン３１３を押下すると、ＯＣＳ１６６からＳＣＳ１６９に、スタートボタン３１３が押下された旨が通知（Ｓ１０１）される。これに応じて、ＳＣＳ１６９からコピーアプリ１４１に、スタートボタン３１３が押下された旨が通知（Ｓ１０２）される。これに応じて、コピーアプリ１４１からＥＣＳ１６４に、コピージョブの開始要求が送信（Ｓ１０３）される。これを受けて、ユーザＡのコピージョブが開始されることになり、ＡＤＦ３２１（図３）にセットされたコピー原稿の読取処理が次々と実行（Ｓ１０４）されることになる。
【００７２】
これに続いて、融合機１０１にログインすべくユーザＢがログインボタン３１６を押下すると、ＯＣＳ１６６からＳＣＳ１６９に、ログインボタン３１６が押下された旨が通知（Ｓ１１１）される。これに応じて、ＳＣＳ１６９からＣＣＳ１６７に、ログインボタン３１６が押下された旨が通知（Ｓ１１２）される。これに応じて、ＣＣＳ１６７は、ユーザＡの裏移行の一斉調停を実行（Ｓ１１３）して、ユーザＡの裏移行がＯＫ（Ｓ１１４）であれば、ユーザＡの裏移行の一斉配布を実行（Ｓ１１５）する。これに続いて、ＣＣＳ１６７からコピーアプリ１４１に、認証条件が通知（Ｓ１１６）される。これに応じて、コピーアプリ１４１からＣＣＳ１６７に、認証情報の入力待ち画面の表示要求が送信（Ｓ１１７）される。これに応じて、ＣＣＳ１６７からＳＣＳ１６９に、認証情報の入力待ち画面の表示要求が送信（Ｓ１１８）される。これに応じて、ＳＣＳ１６９からＯＣＳ１６６に、認証情報の入力待ち画面の表示要求が送信（Ｓ１１９）される。これを受け、認証情報の入力待ち画面（図５Ｂ）が表示されることになり、融合機１０１は認証情報の入力待ち状態になる。
【００７３】
これに続いて、ユーザＢが認証情報を入力して実行ボタンを押下すると、ＯＣＳ１６６からＳＣＳ１６９に、上記実行ボタンが押下された旨が通知（Ｓ１２１）される。これに応じて、ＳＣＳ１６９からＣＣＳ１６７に、上記実行ボタンが押下された旨が通知（Ｓ１２２）される。これに応じて、ＣＣＳ１６７は、上記認証情報に係るユーザ「ユーザＢ」の存在確認をＵＣＳ１６８に要求（Ｓ１２３）して、上記認証情報に係るユーザ「ユーザＢ」の存在確認がＯＫ（Ｓ１２４）であれば、上記認証情報に係るユーザ「ユーザＢ」のチケットの一斉配布を実行（Ｓ１２５）する。これに続いて、コピーアプリ１４１からＯＣＳ１６６に、ガイダンス「コピーできます」無のコピー操作画面の表示要求が送信（Ｓ１２６）される。これに続いて、コピーアプリ１４１からＣＣＳ１６７に、認証情報の入力待ち画面の表示要求（Ｓ１１７）の解除要求が送信（Ｓ１２７）される。これに応じて、ＣＣＳ１６７からＳＣＳ１６９に、認証情報の入力待ち画面の表示要求（Ｓ１１８）の解除要求が送信（Ｓ１２８）される。これに応じて、ＳＣＳ１６９からＯＣＳ１６６に、認証情報の入力待ち画面の表示要求（Ｓ１１９）の解除要求が送信（Ｓ１２９）される。これを受け、ガイダンス「コピーできます」無のコピー操作画面（図５Ｃ）が表示されることになる。
【００７４】
ここで、ＡＤＦ３２１（図３）にセットされたコピー原稿の読取処理が次々と実行（Ｓ１０４）されて、ユーザＡのコピージョブが終了すると、ＥＣＳ１６４からコピーアプリ１４１に、コピージョブの終了応答が送信（Ｓ１０５）される。これに応じて、コピーアプリ１４１からＯＣＳ１６６に、ガイダンス「コピーできます」の表示要求が送信（Ｓ１０６）される。これを受けて、ガイダンス「コピーできます」有のコピー操作画面（図５Ｄ）が表示されることになる。
【００７５】
なお、Ｓ１１１からＳ１２９までの処理の流れについては、ユーザＢがジョブ割り込み操作やジョブ予約操作を行う場合であっても同様である。
【００７６】
図７は、図１の融合機１０１でのログイン処理／ログアウト処理の第２実施例に関する画面遷移図である。
【００７７】
図７Ａの画面上には「ログインユーザ：ユーザＡ」と表示されている。これは、融合機１０１にログインしているユーザＡが融合機１０１の操作パネルの画面を占有している事を意味する。図７Ａの画面上には「コピー中です」と表示されている。これは、ユーザＡのコピージョブが実行中である事を意味する。この段階にてユーザＢがＩＣカードリーダ２４５（図２参照）にＩＣカード２４６（図２参照）をセットすると、図７Ｂの画面に画面が移り、図７Ｃの画面に画面が移る。これにより、ユーザＢが融合機１０１にログインしたことになる。
【００７８】
図７Ｃの画面上には「ログインユーザ：ユーザＢ」と表示されている。これは、融合機１０１にログインしているユーザＢが融合機１０１の操作パネルの画面を占有している事を意味する。この段階ではユーザＡのコピージョブが実行中であるものとする。ユーザＡのコピージョブが終了すると、図７Ｄの画面に画面が移る。図７Ｄの画面上には「コピーできます」と表示されている。これは、ユーザＢのコピージョブが実行可能になった事を意味する。この段階にてログアウトボタン３１７（図４参照）が押下されると、図７Ｅの画面に画面が移り、融合機１０１は認証情報の入力待ち状態になる。これにより、ユーザＢが融合機１０１からログアウトしたことになる。
【００７９】
第１実施例の「ログイン処理」では、認証情報を表す文字（単語）の入力操作をもって認証情報の入力操作としている。第１実施例の「ログイン処理」では、ユーザＢは、自己の認証情報を表す文字（単語）をテンキー３１２などで入力することで、自己の認証情報を融合機１０１に入力しているのである。第２実施例の「ログイン処理」では、認証情報が記録されたＩＣカード２４６のセット操作をもって認証情報の入力操作としている。第２実施例の「ログイン処理」では、ユーザＢは、自己の認証情報が記録されたＩＣカード２４６をＩＣカードリーダ２４５にセットすることで、自己の認証情報を融合機１０１に入力しているのである。
【００８０】
図８は、図１の融合機１０１でのログイン処理／ログアウト処理の第２実施例に関するシーケンス図である。
【００８１】
融合機１０１にコピージョブを実行させるべくユーザＡがスタートボタン３１３を押下すると、ＯＣＳ１６６からＳＣＳ１６９に、スタートボタン３１３が押下された旨が通知（Ｓ２０１）される。これに応じて、ＳＣＳ１６９からコピーアプリ１４１に、スタートボタン３１３が押下された旨が通知（Ｓ２０２）される。これに応じて、コピーアプリ１４１からＥＣＳ１６４に、コピージョブの開始要求が送信（Ｓ２０３）される。これを受けて、ユーザＡのコピージョブが開始されることになり、ＡＤＦ３２１（図３）にセットされたコピー原稿の読取処理が次々と実行（Ｓ２０４）されることになる。
【００８２】
これに続いて、融合機１０１にログインすべくユーザＢがＩＣカードリーダ２４５にＩＣカード２４６をセットすると、ＩＣカードリーダ２４５からＳＣＳ１６９に、ＩＣカード２４６がセットされた旨が通知（Ｓ２１１）される。これに応じて、ＳＣＳ１６９からＣＣＳ１６７に、ＩＣカード２４６がセットされた旨が通知（Ｓ２１２）される。これに応じて、ＣＣＳ１６７は、ＩＣカード２４６に記録された認証情報に係るユーザ「ユーザＢ」の存在確認をＵＣＳ１６８に要求（Ｓ２１３）する。ＩＣカード２４６に記録された認証情報に係るユーザ「ユーザＢ」の存在確認がＯＫ（Ｓ２１４）ならば、ＣＣＳ１６７は、ユーザＡの裏移行の一斉調停を実行（Ｓ２１５）する。ユーザＡの裏移行がＯＫ（Ｓ２１６）ならば、ＣＣＳ１６７は、ユーザＡの裏移行の一斉配布を実行（Ｓ２１７）し、ＩＣカード２４６に記録された認証情報に係るユーザ「ユーザＢ」のチケットの一斉配布を実行（Ｓ２１８）する。これに続いて、コピーアプリ１４１からＯＣＳ１６６に、ガイダンス「コピーできます」無のコピー操作画面の表示要求が送信（Ｓ２１９）される。これを受けて、ガイダンス「コピーできます」無のコピー操作画面（図７Ｃ）が表示されることになる。
【００８３】
ここで、ＡＤＦ３２１（図３）にセットされたコピー原稿の読取処理が次々と実行（Ｓ２０４）されて、ユーザＡのコピージョブが終了すると、ＥＣＳ１６４からコピーアプリ１４１に、コピージョブの終了応答が送信（Ｓ２０５）される。これに応じて、コピーアプリ１４１からＯＣＳ１６６に、ガイダンス「コピーできます」の表示要求が送信（Ｓ２０６）される。これを受けて、ガイダンス「コピーできます」有のコピー操作画面（図７Ｄ）が表示されることになる。
【００８４】
なお、ＩＣカード２４６のチャタリングを防止すべく、Ｓ２１２とＳ２１３との間で、ＩＣカード２４６に記録された認証情報に係るユーザ「ユーザＢ」がログインユーザか否かをチェックするようにしてもよい。ログインユーザでない場合に限り、Ｓ２１３からの処理を実行するのである。上記のチェック処理は例えば、第１ステップで「ユーザＢ」が表ユーザであるか否かを表ユーザリストでチェックして、第２ステップで「ユーザＢ」が裏ユーザであるか否かを裏ユーザリストでチェックする、というようにして実行することができる。表ユーザでも裏ユーザでもない場合に限り、Ｓ２１３からの処理を実行するのである。
【００８５】
図９は、図１の融合機１０１でのログイン処理／ログアウト処理の第３実施例に関する画面遷移図である。第３実施例では、ユーザＡは融合機１０１の原稿読取機能を利用するものとし、ユーザＢは融合機１０１の文書送信機能を利用するものとする。
【００８６】
図９Ａの画面上には「ログインユーザ：ユーザＡ」と表示されている。これは、融合機１０１にログインしているユーザＡが融合機１０１の操作パネルの画面を占有している事を意味する。図９Ａの画面上には「読取中です」と表示されている。これは、ユーザＡの原稿読取ジョブが実行中である事を意味する。この段階にてログインボタン３１６（図４参照）が押下されると、図９Ｂの画面に画面が移り、融合機１０１は認証情報の入力待ち状態になる。図９Ｂの画面でユーザＢが認証情報を入力して実行ボタンにタッチすると、図９Ｃの画面に画面が移る。これにより、ユーザＢが融合機１０１にログインしたことになる。
【００８７】
図９Ｃの画面上には「ログインユーザ：ユーザＢ」と表示されている。これは、融合機１０１にログインしているユーザＢが融合機１０１の操作パネルの画面を占有している事を意味する。この段階ではユーザＡの原稿読取ジョブが実行中であるものとする。図９Ｃの画面でユーザＢが蓄積文書指定ボタンにタッチすると、図９Ｄの画面に画面が移る。図９Ｄの画面でユーザＢが蓄積文書を指定してスタートボタン３１３を押下すると、図９Ｅの画面に画面が移る。図９Ｅの画面上には「送信中です」と表示されている。これは、ユーザＢの文書送信ジョブが実行中である事を意味する。ユーザＢの文書送信ジョブが終了すると、図９Ｃの画面に画面が戻る。この段階でもユーザＡの原稿読取ジョブが実行中であるものとする。この段階にてログアウトボタン３１７（図４参照）が押下されると、図９Ｆの画面に画面が移り、融合機１０１は認証情報の入力待ち状態になる。これにより、ユーザＢが融合機１０１からログアウトしたことになる。図９Ｆの画面でユーザＡが認証情報を入力して実行ボタンにタッチすると、図９Ａの画面に画面が戻る。
【００８８】
図９Ａの画面上には「ログインユーザ：ユーザＡ」と表示されている。これは、融合機１０１にログインしているユーザＡが融合機１０１の操作パネルの画面を占有している事を意味する。図９Ａの画面上には「読取中です」と表示されている。これは、ユーザＡの原稿読取ジョブがまだ実行中である事を意味する。
【００８９】
第３実施例では、ユーザＡは融合機１０１の原稿読取機能を利用しており、ユーザＢは融合機１０１の文書送信機能を利用している。原稿読取ジョブで使用される融合機１０１のハードウェア１１１は「撮像部１２１」等であり、文書送信ジョブで使用される融合機１０１のハードウェア１１１は「ＮＩＣ２４１」等であり、原稿読取ジョブで使用される融合機１０１のハードウェア１１１と文書送信ジョブで使用される融合機１０１のハードウェア１１１とは重複（バッティング）しない。これにより、第３実施例では、ユーザＡの原稿読取ジョブとユーザＢの文書送信ジョブとが平行実行されており、ユーザＡの原稿読取ジョブの実行中にユーザＢの文書送信ジョブが開始して終了しているのである。
【００９０】
このように、図１の融合機１０１は、融合機１０１の操作パネルの画面を占有しているログインユーザによるジョブで使用される融合機１０１のハードウェア１１１と、融合機１０１の操作パネルの画面を占有していないログインユーザによるジョブで使用される融合機１０１のハードウェア１１１とが重複しない場合、融合機１０１の操作パネルの画面を占有しているログインユーザによるジョブと、融合機１０１の操作パネルの画面を占有していないログインユーザによるジョブとを並行して実行するものとする。
【００９１】
図１０は、図１の融合機１０１でのログイン処理／ログアウト処理の第３実施例に関するシーケンス図である。第３実施例では、ユーザＡは融合機１０１の原稿読取機能を利用するものとし、ユーザＢは融合機１０１の文書送信機能を利用するものとする。
【００９２】
融合機１０１に原稿読取ジョブを実行させるべくユーザＡがスタートボタン３１３を押下すると、ＯＣＳ１６６からＳＣＳ１６９に、スタートボタン３１３が押下された旨が通知（Ｓ３０１）される。これに応じて、ＳＣＳ１６９からスキャナアプリ１４３に、スタートボタン３１３が押下された旨が通知（Ｓ３０２）される。これに応じて、スキャナアプリ１４３からＥＣＳ１６４に、原稿読取ジョブの開始要求が送信（Ｓ３０３）される。これを受け、ユーザＡの原稿読取ジョブが開始されることになり、ＡＤＦ３２１（図３）にセットされた原稿の読取処理が次々と実行（Ｓ３０４）されることになる。
【００９３】
これに続いて、融合機１０１にログインすべくユーザＢがログインボタン３１６を押下すると、Ｓ１１１からＳ１１９までの処理（ただしコピーアプリ１４１をスキャナアプリ１４３に置換する）が実行されて、認証情報の入力待ち画面（図９Ｂ）が表示されることになり、融合機１０１は認証情報の入力待ち状態になる。
【００９４】
これに続いて、ユーザＢが認証情報を入力して実行ボタンを押下すると、Ｓ１２１からＳ１２９までの処理（ただしコピーアプリ１４１をスキャナアプリ１４３に置換する）が実行されて、ガイダンス「読取できます」無のスキャナ操作画面（図９Ｃ）が表示されることになる。
【００９５】
これに続いて、ユーザＢが蓄積文書指定ボタンを押下すると、ＯＣＳ１６６からＳＣＳ１６９に、蓄積文書指定ボタンが押下された旨が通知（Ｓ３１１）される。これに応じて、ＳＣＳ１６９からスキャナアプリ１４３に、蓄積文書指定画面の表示要求が送信（Ｓ３１２）される。これに応じて、スキャナアプリ１４３からＯＣＳ１６６に、蓄積文書指定画面の表示要求が送信（Ｓ３１３）される。これを受けて、蓄積文書指定画面（図９Ｄ）が表示されることになる。
【００９６】
これに続いて、融合機１０１に文書送信ジョブを実行させるべくユーザＢが蓄積文書を指定してスタートボタン３１３を押下すると、ＯＣＳ１６６からＳＣＳ１６９に、スタートボタン３１３が押下された旨が通知（Ｓ３２１）される。これに応じて、ＳＣＳ１６９からスキャナアプリ１４３に、スタートボタン３１３が押下された旨が通知（Ｓ３２２）される。これに応じて、スキャナアプリ１４３からＤＣＳ１６３に、文書送信ジョブの開始要求が送信（Ｓ３２３）される。これを受け、ユーザＢの文書送信ジョブが開始されることになり、蓄積文書指定画面で指定された蓄積文書の送信処理が実行（Ｓ３２４）されることになる。蓄積文書指定画面で指定された蓄積文書の送信処理が実行（Ｓ３２４）されて、ユーザＢの文書送信ジョブが終了すると、ＤＣＳ１６３からスキャナアプリ１４３に、文書送信ジョブの終了応答が送信（Ｓ３２５）される。
【００９７】
これに続いて、融合機１０１からログアウトすべくユーザＢがログアウトボタン３１７を押下すると、ＯＣＳ１６６からＳＣＳ１６９に、ログアウトボタン３１７が押下された旨が通知（Ｓ３３１）される。これに応じて、ＳＣＳ１６９からＣＣＳ１６７に、ログアウトボタン３１７が押下された旨が通知（Ｓ３３２）される。これに応じて、ＣＣＳ１６７は、ユーザＢのログアウトの一斉調停を実行（Ｓ３３３）し、ユーザＢのログアウトがＯＫ（Ｓ３３４）であれば、ユーザＢのログアウトの一斉配布を実行（Ｓ３３５）する。これに続いて、ＣＣＳ１６７からスキャナアプリ１４３に、認証条件が通知（Ｓ３３６）される。これに応じて、スキャナアプリ１４３からＣＣＳ１６７に、認証情報の入力待ち画面の表示要求が送信（Ｓ３３７）される。これに応じて、ＣＣＳ１６７からＳＣＳ１６９に、認証情報の入力待ち画面の表示要求が送信（Ｓ３３８）される。これに応じて、ＳＣＳ１６９からＯＣＳ１６６に、認証情報の入力待ち画面の表示要求が送信（Ｓ３３９）される。これを受けて、認証情報の入力待ち画面（図９Ｆ）が表示されることになり、融合機１０１は認証情報の入力待ち状態になる。
【００９８】
これに続いて、ユーザＡが認証情報を入力して実行ボタンを押下すると、Ｓ１２１からＳ１２９までの処理（ただしコピーアプリ１４１をスキャナアプリ１４３に置換する）が実行されて、ガイダンス「読取中」有のスキャナ操作画面（図９Ａ）が表示されることになる。
【００９９】
図１の融合機１０１では、ＣＣＳ１６７により、第１実施例，第２実施例，第３実施例のようなログイン処理／ログアウト処理が実行される。以下、ログイン処理／ログアウト処理に関連する種々の処理について説明する。
【０１００】
図１１は、表ユーザの切替操作画面に係る画面遷移図である。図中の切替操作画面は、融合機１０１の操作パネルの画面を占有するログインユーザ（表ユーザ）を切り替えるための操作画面であり、ＣＣＳ１６７が管理する裏ユーザリストを元にしてＳＣＳ１６９により提供される。
【０１０１】
図１１Ａの画面上には「ログインユーザ：ユーザＡ」と表示されている。これは、融合機１０１にログインしているユーザＡが融合機１０１の操作パネルの画面を占有している事を意味する。この段階にてログインボタン３１６が押下されるとここでは、図１１Ｂの画面に画面が移る。図１１Ｂの画面（切替操作画面）には、表ユーザである「ユーザＡ」が薄色で表示されて、裏ユーザである「ユーザＢ」と「ユーザＣ」が濃色で表示される。図１１Ｂの画面で「ユーザＢ」がタッチされると、図１１Ｃの画面に画面が移り、融合機１０１は認証情報の入力待ち状態になる。図１１Ｃの画面の入力欄には、図１１Ｂの画面でタッチされた「ユーザＢ」を表ユーザにすべく「ユーザＢ」のユーザ名がデフォルトで入力されている。
【０１０２】
なお、図１１Ｂの画面には、表ユーザである「ユーザＡ」は表示されないようにしても構わない。また、図１１Ｃの画面に係る認証処理は、正規認証でもパスワードだけの簡易認証でも構わない。
【０１０３】
図１２は、表ユーザの切替操作画面に係るシーケンス図である。
【０１０４】
ログインボタン３１６が押下されると、ＯＣＳ１６６からＳＣＳ１６９に、ログインボタン３１６が押下された旨が通知（Ｓ４０１）される。これに応じて、ＳＣＳ１６９からＣＣＳ１６７に、裏ユーザリストの提供要求が送信（Ｓ４０２）される。これに応じて、ＣＣＳ１６７からＳＣＳ１６９に、裏ユーザリストが提供（Ｓ４０３）される。これに応じて、ＳＣＳ１６９からＯＣＳ１６６に、表ユーザの切替操作画面の表示要求が送信（Ｓ４０４）される。これを受けて、表ユーザの切替操作画面（図１１Ｂ）が表示されることになる。
【０１０５】
これに続いて、裏ユーザである「ユーザＢ」が押下されると、ＯＣＳ１６６からＳＣＳ１６９に、裏ユーザである「ユーザＢ」が押下された旨が通知（Ｓ４１１）される。これに応じて、ＳＣＳ１６９からＣＣＳ１６７に、裏ユーザである「ユーザＢ」が押下された旨が通知（Ｓ４１２）される。これに応じて、ＣＣＳ１６７は、表ユーザである「ユーザＡ」の裏移行の一斉調停を実行（Ｓ４１３）し、表ユーザである「ユーザＡ」の裏移行がＯＫ（Ｓ４１４）であれば、表ユーザである「ユーザＡ」の裏移行の一斉配布を実行（Ｓ４１５）する。これに続いて、ＣＣＳ１６７からコピーアプリ１４１に、認証条件が通知（Ｓ４１６）される。これに応じて、コピーアプリ１４１からＣＣＳ１６７に、認証情報の入力待ち画面の表示要求が送信（Ｓ４１７）される。これに応じて、ＣＣＳ１６７からＳＣＳ１６９に、認証情報の入力待ち画面の表示要求が送信（Ｓ４１８）される。これに応じて、ＳＣＳ１６９からＯＣＳ１６６に、認証情報の入力待ち画面の表示要求が送信（Ｓ４１９）される。これを受け、認証情報の入力待ち画面（図１１Ｃ）が表示されることになり、融合機１０１は認証情報の入力待ち状態になる。
【０１０６】
図１３は、裏ユーザのログアウト操作画面に係る画面遷移図である。図中のログアウト操作画面は、融合機１０１の操作パネルの画面を占有していないログインユーザ（裏ユーザ）をログアウトさせるための操作画面であり、ＣＣＳ１６７が管理する裏ユーザリストを元にしてＳＣＳ１６９により提供される。
【０１０７】
図１３Ａの画面は、認証情報の入力待ち画面である。この段階にてログアウトボタン３１７が押下されるとここでは、図１３Ｂの画面に画面が移る。図１３Ｂの画面（ログアウト操作画面）には、裏ユーザである「ユーザＢ」と「ユーザＣ」が濃色で表示される。図１３Ｂの画面で「ユーザＢ」がタッチされると、図１３Ｃの画面に画面が移り、図１３Ｂの画面でタッチされた「ユーザＢ」がログアウトしたことになる。図１３Ｃの画面で確認ボタンがタッチされると、図１３Ａの画面に画面が戻り、融合機１０１は認証情報の入力待ち状態になる。
【０１０８】
図１４は、裏ユーザのログアウト操作画面に係るシーケンス図である。
【０１０９】
ログアウトボタン３１７が押下されると、ＯＣＳ１６６からＳＣＳ１６９に、ログアウトボタン３１７が押下された旨が通知（Ｓ５０１）される。これに応じて、ＳＣＳ１６９からＣＣＳ１６７に、裏ユーザリストの提供要求が送信（Ｓ５０２）される。これに応じて、ＣＣＳ１６７からＳＣＳ１６９に、裏ユーザリストが提供（Ｓ５０３）される。これに応じて、ＳＣＳ１６９からＯＣＳ１６６に、裏ユーザのログアウト操作画面の表示要求が送信（Ｓ５０４）される。これを受けて、裏ユーザのログアウト操作画面（図１３Ｂ）が表示されることになる。
【０１１０】
これに続いて、裏ユーザである「ユーザＢ」が押下されると、ＯＣＳ１６６からＳＣＳ１６９に、裏ユーザである「ユーザＢ」が押下された旨が通知（Ｓ５１１）される。これに応じて、ＳＣＳ１６９からＣＣＳ１６７に、裏ユーザである「ユーザＢ」が押下された旨が通知（Ｓ５１２）される。これに応じて、ＣＣＳ１６７は、裏ユーザである「ユーザＢ」のログアウトの一斉調停を実行（Ｓ５１３）し、裏ユーザである「ユーザＢ」のログアウトがＯＫ（Ｓ５１４）であれば、裏ユーザである「ユーザＢ」のログアウトの一斉配布を実行（Ｓ５１５）する。これに続いて、ＣＣＳ１６７からコピーアプリ１４１に、認証条件が通知（Ｓ５１６）される。これに応じて、コピーアプリ１４１からＣＣＳ１６７に、確認画面の表示要求が送信（Ｓ５１７）される。これに応じて、ＣＣＳ１６７からＳＣＳ１６９に、確認画面の表示要求が送信（Ｓ５１８）される。これに応じて、ＳＣＳ１６９からＯＣＳ１６６に、確認画面の表示要求が送信（Ｓ５１９）される。これを受け、確認画面（図１３Ｃ）が表示されることになる。
【０１１１】
これに続いて、確認ボタンが押下されると、ＯＣＳ１６６からＳＣＳ１６９に、確認ボタンが押下された旨が通知（Ｓ５２１）される。これに応じて、ＳＣＳ１６９からＣＣＳ１６７に、確認ボタンが押下された旨が通知（Ｓ５２２）される。これに応じて、ＣＣＳ１６７からＳＣＳ１６９に、認証情報の入力待ち画面の表示要求が送信（Ｓ５２３）される。これに応じて、ＳＣＳ１６９からＯＣＳ１６６に、認証情報の入力待ち画面の表示要求が送信（Ｓ５２４）される。これを受け、認証情報の入力待ち画面（図１３Ａ）が表示されることになり、融合機１０１は認証情報の入力待ち状態になる。
【０１１２】
図１５は、裏ユーザのアイコンについて説明するための図である。裏ユーザが存在する場合には、図１５Ａの画面上の丸で囲んだ領域内のように、融合機１０１の操作パネルの画面上に裏ユーザの存在を表すアイコンを表示しておくようにしてもよい。アイコンは、２以上のユーザに共通のものでもよいし、各ユーザに固有のものでもよい。図１５Ｂ，Ｃのアイコンは、２以上のユーザに共通のアイコンの例であり、図１５Ｄ，Ｅ，Ｆ，Ｇ，Ｈは、各ユーザに固有のアイコンの例である。図１５Ｇは、各ユーザの名前入りのアイコンの例であり、図１５Ｈは、各ユーザのイニシャル入りのアイコンの例である。各ユーザに割り振るアイコンは例えば、事前に設定しておくものとする。
【０１１３】
図１６は、裏ユーザのタイムアウトについて説明するための図である。各裏ユーザは、図１６のように、所定の時間の経過後に自動的にログアウト（タイムアウト）させられるようにしておいてもよい。図１６は、裏ユーザである「ユーザＣ」が所定の時間の経過後に自動的にログアウト（タイムアウト）させられる様子を表しており、図１６Ａがタイムアウト前の図に相当し、図１６Ｂがタイムアウト後の図に相当する。各裏ユーザのタイムアウトは例えば、各裏ユーザの裏移行から所定時間（例えば１時間）が経過した際に実行されるようにする。この場合には例えば、裏移行の際にＣＣＳ１６７からＳＣＳ１６９にタイマの開始要求を送信して、所定時間が経過した際にＳＣＳ１６９からＣＣＳ１６７にその旨を通知するようにする。
【０１１４】
図１７は、裏ユーザのジョブエラー通知について説明するための図である。裏ユーザのジョブでエラーが発生した場合には、図１７Ａ，Ｂ，Ｃ，Ｄのように、裏ユーザのジョブのエラーを、融合機１０１の操作パネルの画面で表ユーザに通知するようにしてもよい。図１７Ａは、ウィンドウで通知する例であり、図１７Ｂは、メッセージバーで通知する例である。メッセージバーで通知する場合には、図１７Ｃのように、表ユーザ「ユーザＡ」のユーザ名を交互に表示するようにしてもよいし、図１７Ｄのように、裏ユーザ「ユーザＢ」のユーザ名を共に表示するようにしてもよい。裏ユーザのジョブでエラーが発生した場合には、裏ユーザのジョブのエラーを、電子メールやパトランプ３２０（図４参照）で通知するようにしてもよい。電子メールで通知する場合には、図１７Ｅのように、その旨をメッセージバーで通知するようにしてもよい。
【０１１５】
裏ユーザのジョブのエラーを通知することにするか否かを、図１７Ｆの通知設定画面で設定できるようにしてもよい。図１７Ｆの通知設定画面では、裏ユーザのジョブのエラーを通知することにするか否かを一括で設定できるだけでなく、裏ユーザのジョブのエラーを「画面で通知することにするか否か」「電子メールで通知することにするか否か」「パトランプで通知するか否か」を個別に設定できる。設定欄Ｆ１が一括設定欄であり、設定欄Ｆ２，Ｆ３，Ｆ４が個別設定欄である。通知設定画面はＳＣＳ１６９によって提供され、通知設定画面で設定された通知設定はＳＣＳ１６９によって管理される。
【０１１６】
裏ユーザのジョブのエラーとして例えば「ジャム」が発生した場合には、ジャムが発生した旨は、撮像部１２１や印刷部１２２等のエンジン部からＥＣＳ１６４に通知され、ＥＣＳ１６４からアプリケーション１３１に通知され、アプリケーション１３１からＳＣＳ１６９に通知される。裏ユーザのジョブのエラーが発生した旨は、ＳＣＳ１６９により、画面，電子メール，パトランプで通知される。
【０１１７】
図１８は、表ユーザのジョブ終了後の表ユーザの裏移行（第１例）に関する画面遷移図である。
【０１１８】
図１８Ａの画面上には「ログインユーザ：ユーザＡ」と表示されている。これは、融合機１０１にログインしているユーザＡが融合機１０１の操作パネルの画面を占有している事を意味する。図１８Ａの画面上には「コピー中です」と表示されている。これは、ユーザＡのコピージョブが実行中である事を意味する。ユーザＡのコピージョブが終了するとここでは、ユーザＡは自動的に裏移行させられて、図１８Ｂの画面に画面が移り、融合機１０１は認証情報の入力待ち状態になる。
【０１１９】
図１９は、表ユーザのジョブ終了後の表ユーザの裏移行（第１例）に関するシーケンス図である。
【０１２０】
融合機１０１にコピージョブを実行させるべくユーザＡがスタートボタン３１３を押下すると、ＯＣＳ１６６からＳＣＳ１６９に、スタートボタン３１３が押下された旨が通知（Ｓ６０１）される。これに応じて、ＳＣＳ１６９からコピーアプリ１４１に、スタートボタン３１３が押下された旨が通知（Ｓ６０２）される。これに応じて、コピーアプリ１４１からＥＣＳ１６４に、コピージョブの開始要求が送信（Ｓ６０３）される。これを受けて、ユーザＡのコピージョブが開始されることになり、ＡＤＦ３２１（図３）にセットされたコピー原稿の読取処理が次々と実行（Ｓ６０４）されることになる。ＡＤＦ３２１（図３）にセットされたコピー原稿の読取処理が次々と実行（Ｓ６０４）されて、ユーザＡのコピージョブが終了すると、ＥＣＳ１６４からコピーアプリ１４１に、コピージョブの終了応答が送信（Ｓ６０５）される。これに応じて、コピーアプリ１４１からＣＣＳ１６７に、ユーザＡの裏移行要求が送信（Ｓ６０６）される。これに応じて、Ｓ１１３からＳ１１９までの処理（ユーザＡの裏移行処理）が実行され、認証情報の入力待ち画面（図１８Ｂ）が表示されることになる。
【０１２１】
図２０は、表ユーザのジョブ終了後の表ユーザの裏移行（第２例）に関する画面遷移図である。
【０１２２】
図２０Ａの画面上には「ログインユーザ：ユーザＡ」と表示されている。これは、融合機１０１にログインしているユーザＡが融合機１０１の操作パネルの画面を占有している事を意味する。図２０Ａの画面上には「コピー中です」と表示されている。これは、ユーザＡのコピージョブが実行中である事を意味する。ユーザＡのコピージョブが終了するとここでは、図２０Ｂの画面に画面が自動的に移る。図２０Ｂの画面でユーザＡが「はい」にタッチすると、ユーザＡは裏移行させられず、図２０Ｃの画面に画面が移る。図２０Ｂの画面でユーザＡが「いいえ」にタッチすると、ユーザＡは裏移行させられて、図２０Ｄの画面に画面が移り、融合機１０１は認証情報の入力待ち状態になる。このように図２０Ｂは、ユーザＡを裏移行させるための裏移行操作画面（裏移行操作ウィンドウ）となっている。
【０１２３】
図２１は、表ユーザのジョブ終了後の表ユーザの裏移行（第２例）に関するシーケンス図である。
【０１２４】
融合機１０１にコピージョブを実行させるべくユーザＡがスタートボタン３１３を押下すると、ＯＣＳ１６６からＳＣＳ１６９に、スタートボタン３１３が押下された旨が通知（Ｓ７０１）される。これに応じて、ＳＣＳ１６９からコピーアプリ１４１に、スタートボタン３１３が押下された旨が通知（Ｓ７０２）される。これに応じて、コピーアプリ１４１からＥＣＳ１６４に、コピージョブの開始要求が送信（Ｓ７０３）される。これを受けて、ユーザＡのコピージョブが開始されることになり、ＡＤＦ３２１（図３）にセットされたコピー原稿の読取処理が次々と実行（Ｓ７０４）されることになる。ＡＤＦ３２１（図３）にセットされたコピー原稿の読取処理が次々と実行（Ｓ７０４）されて、ユーザＡのコピージョブが終了すると、ＥＣＳ１６４からコピーアプリ１４１に、コピージョブの終了応答が送信（Ｓ７０５）される。これに応じて、コピーアプリ１４１からＯＣＳ１６６に、ユーザＡの裏移行操作画面の表示要求が送信（Ｓ７０６）される。これを受け、ユーザＡの裏移行操作画面（図２０Ｂ）が表示されることになる。
【０１２５】
これに続いて、ユーザＡがいいえを押下すると、ＯＣＳ１６６からＳＣＳ１６９に、いいえが押下された旨が通知（Ｓ７１１）される。これに応じて、ＳＣＳ１６９からコピーアプリ１４１に、いいえが押下された旨が通知（Ｓ７１２）される。これに応じて、コピーアプリ１４１からＣＣＳ１６７に、ユーザＡの裏移行要求が送信（Ｓ７１３）される。これに応じて、Ｓ１１３からＳ１１９までの処理（ユーザＡの裏移行処理）が実行され、認証情報の入力待ち画面（図２０Ｄ）が表示されることになる。
【０１２６】
図２２は、表ユーザのジョブ終了後の表ユーザの裏移行（第３例）に関する画面遷移図である。
【０１２７】
図２２Ａの画面上には「ログインユーザ：ユーザＡ」と表示されている。これは、融合機１０１にログインしているユーザＡが融合機１０１の操作パネルの画面を占有している事を意味する。図２２Ａの画面上には「コピー中です」と表示されている。これは、ユーザＡのコピージョブが実行中である事を意味する。ユーザＡのコピージョブが終了するとここでは図２２Ｂの画面に画面が移る。図２２Ｂの画面上には「ログインユーザ：ユーザＡ」と表示されている。これは、融合機１０１にログインしているユーザＡが融合機１０１の操作パネルの画面を占有している事を意味する。図２２Ｂの画面上には「コピーできます」と表示されている。これは、ユーザＡのコピージョブが実行可能になった事を意味する。この段階にてログアウトボタン３１７が押下されるとここでは図２２Ｃの画面に画面が移る。図２２Ｃの画面でユーザＡが「はい」にタッチすると、ユーザＡは裏移行させられて、図２２Ｃの画面でユーザＡが「いいえ」にタッチすると、ユーザＡはログアウトさせられる。
【０１２８】
図２３は、表ユーザのジョブ終了後の表ユーザの裏移行（第３例）に関するシーケンス図である。
【０１２９】
融合機１０１にコピージョブを実行させるべくユーザＡがスタートボタン３１３を押下すると、ＯＣＳ１６６からＳＣＳ１６９に、スタートボタン３１３が押下された旨が通知（Ｓ８０１）される。これに応じて、ＳＣＳ１６９からコピーアプリ１４１に、スタートボタン３１３が押下された旨が通知（Ｓ８０２）される。これに応じて、コピーアプリ１４１からＥＣＳ１６４に、コピージョブの開始要求が送信（Ｓ８０３）される。これを受けて、ユーザＡのコピージョブが開始されることになり、ＡＤＦ３２１（図３）にセットされたコピー原稿の読取処理が次々と実行（Ｓ８０４）されることになる。ＡＤＦ３２１（図３）にセットされたコピー原稿の読取処理が次々と実行（Ｓ８０４）されて、ユーザＡのコピージョブが終了すると、ＥＣＳ１６４からコピーアプリ１４１に、コピージョブの終了応答が送信（Ｓ８０５）される。これに応じて、コピーアプリ１４１からＯＣＳ１６６に、ガイダンス「コピーできます」有りのコピー操作画面の表示要求が送信（Ｓ８０６）される。これを受け、ガイダンス「コピーできます」有りのコピー操作画面（図２２Ｂ）が表示されることになる。
【０１３０】
これに続いて、融合機１０１からログアウトすべくユーザＡがログアウトボタン３１７を押下すると、ＯＣＳ１６６からＳＣＳ１６９に、ログアウトボタン３１７が押下された旨が通知（Ｓ８１１）される。これに応じて、ＳＣＳ１６９からＣＣＳ１６７に、ログアウトボタン３１７が押下された旨が通知（Ｓ８１２）される。これに応じて、ＣＣＳ１６７からＳＣＳ１６９に、ユーザＡのログアウト操作画面の表示要求が送信（Ｓ８１３）される。これに応じて、ＳＣＳ１６９からＯＣＳ１６６に、ユーザＡのログアウト操作画面の表示要求が送信（Ｓ８１４）される。これを受け、ユーザＡのログアウト操作画面（図２２Ｃ）が表示されることになる。
【０１３１】
これに続いて、ユーザＡがいいえを押下すると、ＯＣＳ１６６からＳＣＳ１６９に、いいえが押下された旨が通知（Ｓ８２１）される。これに応じて、ＳＣＳ１６９からＣＣＳ１６７に、いいえが押下された旨が通知（Ｓ８２２）される。これに応じて、Ｓ１１３からＳ１１９までの処理（ユーザＡの裏移行処理）が実行され、認証情報の入力待ち画面が表示されることになる。
【０１３２】
図１の融合機１０１を、第１例，第２例，第３例のような移行方式で、表ユーザ（融合機１０１の操作パネルの画面を占有している状態のログインユーザ）を裏ユーザ（融合機１０１の操作パネルの画面を占有していない状態のログインユーザ）に移行させるような設定にしておいてもよい。この場合、ユーザＡの裏移行後の「認証情報の入力待ち画面」でユーザＢが認証情報を入力することで、融合機１０１の操作パネルの画面を占有する表ユーザがユーザＡからユーザＢに切り替わることになるのである。
【０１３３】
なお、表ユーザから裏ユーザに移行させられるユーザの設定値については、アプリケーション１３１が管理しておくものとする。ユーザの裏移行の際には、そのユーザの裏移行配布（Ｓ１１５）に応じて、そのユーザの設定値がアプリケーション１３１によって保持されることになり、ユーザの表移行の際には、そのユーザのチケット配布（Ｓ１２５）に応じて、そのユーザの設定値がアプリケーション１３１によって検索されることになる。表ユーザから裏ユーザに移行させられるユーザの設定値の保持については、ユーザの意思とは無関係に自動的に実行されるようにしてもよいし、図２４のような意思確認画面での意思に応じて実行されるようにしてもよい。
【０１３４】
（変形例）
図１の融合機１０１は、本発明「情報処理装置」の実施例に該当して、図１の融合機１０１によって実行される情報処理は、本発明「情報処理方法」の実施例に該当する。当該情報処理をコンピュータに実行させるコンピュータプログラムは、本発明「情報処理プログラム」の実施例に該当し、当該情報処理をコンピュータに実行させるコンピュータプログラムが記録されたＣＤ−ＲＯＭは、本発明「記録媒体」の実施例に該当する。
【図面の簡単な説明】
【０１３５】
【図１】本発明の実施例に該当する融合機を表す。
【図２】図１の融合機に係るハードウェア構成図である。
【図３】図１の融合機に係る外観図である。
【図４】オペレーションパネルを表す。
【図５】ログイン処理／ログアウト処理の第１実施例に関する画面遷移図である。
【図６】ログイン処理／ログアウト処理の第１実施例に関するシーケンス図である。
【図７】ログイン処理／ログアウト処理の第２実施例に関する画面遷移図である。
【図８】ログイン処理／ログアウト処理の第２実施例に関するシーケンス図である。
【図９】ログイン処理／ログアウト処理の第３実施例に関する画面遷移図である。
【図１０】ログイン処理／ログアウト処理の第３実施例に関するシーケンス図である。
【図１１】表ユーザの切替操作画面に係る画面遷移図である。
【図１２】表ユーザの切替操作画面に係るシーケンス図である。
【図１３】裏ユーザのログアウト操作画面に係る画面遷移図である。
【図１４】裏ユーザのログアウト操作画面に係るシーケンス図である。
【図１５】裏ユーザのアイコンについて説明するための図である。
【図１６】裏ユーザのタイムアウトについて説明するための図である。
【図１７】裏ユーザのジョブエラー通知について説明するための図である。
【図１８】表ユーザのジョブ終了後の表ユーザの裏移行（第１例）に関する画面遷移図である。
【図１９】表ユーザのジョブ終了後の表ユーザの裏移行（第１例）に関するシーケンス図である。
【図２０】表ユーザのジョブ終了後の表ユーザの裏移行（第２例）に関する画面遷移図である。
【図２１】表ユーザのジョブ終了後の表ユーザの裏移行（第２例）に関するシーケンス図である。
【図２２】表ユーザのジョブ終了後の表ユーザの裏移行（第３例）に関する画面遷移図である。
【図２３】表ユーザのジョブ終了後の表ユーザの裏移行（第３例）に関するシーケンス図である。
【図２４】設定値の保持に係る意思確認画面を表す。
【図２５】本発明の実施例に該当する情報処理装置を表す。
【符号の説明】
【０１３６】
１１  情報処理装置
２１  ハードウェア
２２  ソフトウェア
２３  起動部
３１  アプリケーション
３２  プラットフォーム
１０１  融合機
１１１  ハードウェア
１１２  ソフトウェア
１１３  融合機起動部
１２１  撮像部
１２２  印刷部
１２３  その他のハードウェア
１３１  アプリケーション
１３２  プラットフォーム
１３３  アプリケーションプログラムインタフェース
１３４  エンジンインタフェース
１４１  コピーアプリ
１４２  プリンタアプリ
１４３  スキャナアプリ
１４４  ファクシミリアプリ
１４５  ネットワークファイルアプリ
１５１  コントロールサービス
１５２  システムリソースマネージャ
１５３  ハンドラ
１６１  ネットワークコントロールサービス
１６２  ファクシミリコントロールサービス
１６３  デリバリコントロールサービス
１６４  エンジンコントロールサービス
１６５  メモリコントロールサービス
１６６  オペレーションパネルコントロールサービス
１６７  サーティフィケーションコントロールサービス
１６８  ユーザディレクトリコントロールサービス
１６９  システムコントロールサービス
１７１  ファクシミリコントロールユニットハンドラ
１７２  イメージメモリハンドラ
２０１  コントローラ
２０２  オペレーションパネル
２０３  ファクシミリコントロールユニット
２１１  ＣＰＵ
２１２  ＡＳＩＣ
２２１  ＮＢ
２２２  ＳＢ
２３１  ＭＥＭ−Ｐ
２３２  ＭＥＭ−Ｃ
２３３  ＨＤＤ
２３４  メモリカードスロット
２３５  メモリカード
２４１  ＮＩＣ
２４２  ＵＳＢデバイス
２４３  ＩＥＥＥ１３９４デバイス
２４４  セントロニクスデバイス
２４５  ＩＣカードリーダ
２４６  ＩＣカード
３０１  原稿セット部
３０２  給紙部
３０３  排紙部
３１１  タッチパネル
３１２  テンキー
３１３  スタートボタン
３１４  リセットボタン
３１５  割り込みボタン
３１６  ログインボタン
３１７  ログアウトボタン
３１８  初期設定ボタン
３１９  機能キー
３２０  パトランプ
３２１  ＡＤＦ
３２２  フラットベッド
３２３  フラットベッドカバー
【図１】
0004838985.tif 000002
【図２】
0004838985.tif 000003
【図３】
0004838985.tif 000004
【図４】
0004838985.tif 000005
【図５】
0004838985.tif 000006
【図６】
0004838985.tif 000007
【図７】
0004838985.tif 000008
【図８】
0004838985.tif 000009
【図９】
0004838985.tif 000010
【図１０】
0004838985.tif 000011
【図１１】
0004838985.tif 000012
【図１２】
0004838985.tif 000013
【図１３】
0004838985.tif 000014
【図１４】
0004838985.tif 000015
【図１５】
0004838985.tif 000016
【図１６】
0004838985.tif 000017
【図１７】
0004838985.tif 000018
【図１８】
0004838985.tif 000019
【図１９】
0004838985.tif 000020
【図２０】
0004838985.tif 000021
【図２１】
0004838985.tif 000022
【図２２】
0004838985.tif 000023
【図２３】
0004838985.tif 000024
【図２４】
0004838985.tif 000025
【図２５】
0004838985.tif 000026